(57)【要約】【課題】腕を自由に動かせない状況でも、より簡易に着用できる被服を提供する。【解決手段】被服１は、木綿、化学繊維その他の生地からなるノースリーブタイプの被服本体２を有している。被服本体２は、その肩部２１から裾部２２にかけて左右両側の脇部分２３が開口して開口部３が形成されている。これにより、使用者１００は、腕にギプス２００を装着しているような腕を自由に動かせない状況でも、被服１をより簡易に着用できる。【選択図】図１０
2020153044.tif 000002
【特許請求の範囲】
【請求項１】
肩部から裾部にかけて両側の脇部分が開口している被服。
【請求項２】
下部で、後身頃が、脇部分を経て前身頃の裏側まで入り込み延在し裾部と一体になっている請求項１に記載の被服。
【請求項３】
下部で、前身頃が、脇部分を経て後身頃の裏側まで入り込み延在し裾部と一体になっている請求項１に記載の被服。
【請求項４】
被服本体がノースリーブタイプである請求項１乃至請求項３のいずれか１項に記載の被服。
【発明の詳細な説明】
【技術分野】
【０００１】
本発明は、腕を自由に動かせない状況に好適な被服に関する。
【背景技術】
【０００２】
従来、このような状況に適する被服として、手を服の中に収納することができるように、脇に開口部を設けた手首固着ポケット付きベストが提案されている（特許文献１）。
【先行技術文献】
【特許文献】
【０００３】
【特許文献１】実用新案登録第３１４２４８１号
【発明の概要】
【発明が解決しようとする課題】
【０００４】
本発明の目的は、腕を自由に動かせない状況でも、より簡易に着用できる被服を提供することである。
【課題を解決するための手段】
【０００５】
前記課題を解決するために、本発明の第１の態様は、肩部から裾部にかけて両側の脇部分が開口している被服である。
【０００６】
本発明の第２の態様では、下部で、後身頃が、脇部分を経て前身頃の裏側まで入り込み延在し裾部と一体になっていることが好ましい。
【０００７】
本発明の第３の態様では、下部で、前身頃が、脇部分を経て後身頃の裏側まで入り込み延在し裾部と一体になっていることが好ましい。
【０００８】
本発明の第４の態様では、被服本体がノースリーブタイプであることが好ましい。
【発明の効果】
【０００９】
本発明の前記第１の態様によれば、使用者は、腕を自由に動かせない状況でも、より簡易に被服を着用することができる。
【００１０】
本発明の前記第２、３の態様によれば、被服は、前身頃と後身頃とが下部で一体になっている。そのため、被服は、単に脇部分が開口している場合と違って、被服としての重要な機能である着用時の保温性を確保できる。
【００１１】
本発明の前記第４の態様によれば、より簡易な構造の被服として提供できる。
【図面の簡単な説明】
【００１２】
【図１】図１は、本実施形態に係る被服の一例の正面図である。
【図２】図２は、本実施形態に係る被服の一例の背面図である。
【図３】図３は、本実施形態に係る被服の一例の左側面図である。
【図４】図４は、本実施形態に係る被服の一例の右側面図である。
【図５】図５は、本実施形態に係る被服の一例の平面図である。
【図６】図６は、本実施形態に係る被服の一例の底面図である。
【図７】図７は、本実施形態に係る被服の一例の斜視図である。
【図８】図８は、本実施形態に係る被服の一例の内部構造を説明する正面図である。
【図９】図９は、本実施形態に係る被服の一例の内部構造を説明する左側面図である。
【図１０】図１０は、本実施形態に係る被服の一例の使用状態を示す図である。
【図１１】図１１は、マジックテープ（株式会社クラレ社の登録商標）を付けた被服の他の例の左側面図である。
【図１２】図１２は、マジックテープ（株式会社クラレ社の登録商標）を外した状態の被服の他の例の左側面図である。
【発明を実施するための形態】
【００１３】
本実施形態を図面を参照しつつ説明する。
【００１４】
本実施形態では、被服を挙げている。
【００１５】
（構成）
図１乃至図７は、被服の一例を示す図である。図１は、被服の正面図である。図２は、被服の背面図である。図３は、被服の左側面図である。図４は、被服の右側面図である。図５は、被服の平面図である。図６は、被服の底面図である。図７は、被服の斜視図である。
【００１６】
図１及び図７に示すように、被服１は、ノースリーブタイプの被服本体２を有している。例えば、被服本体２は、木綿、麻、化学繊維その他の生地からなる。被服本体２は、前身頃５及び後身頃６から構成されており、肩部２１から下端の裾部２２にかけて左右両側の脇部分２３が開口して開口部３が形成されている。肩部２１の横幅は、着用した際に着用者の肩全体を覆うことができるよう幅広になっている。
【００１７】
図８及び図９は、被服の内部構造を説明するための図である。図８は、正面図であり、図９は、左側面図である。
【００１８】
図８及び図９に点線で示すように、後身頃６は、被服本体２の下部２ａで、脇部分２３を経て前身頃５の裏側まで入り込み延在している。そして、後身頃６において前身頃５の裏側まで入り込み延在している部位６ａの下端部６ａ１が、前身頃５の裏側で裾部２２に縫合されて裾部２２と一体になっている。
【００１９】
（作用等）
次に、被服１の作用等の一例について説明する。
【００２０】
被服１は、被服本体２の肩部２１から裾部２２にかけて左右両側の脇部分２３が開口しているので、使用者は、着用する際に腕を被服本体２内から被服本体２外に出し易くなっている。
【００２１】
図１０は、被服１の使用状態を示す図である。
【００２２】
図１０に示すように、使用者１００は、左腕にギプス２００を装着した状況、腕が麻痺している状況のように、腕を自由に動かせない状況でも、被服１を簡易に着用できる。また、使用者１００は、被服１の着用後に被服本体２の中に腕をしまうことができる。
【００２３】
さらに、被服１は、後身頃６が、被服本体２の下部２ａで、脇部分２３を経て前身頃５の裏側まで入り込み延在し裾部２２と一体になっている。そのため、単に脇部分が開口しているような従来の被服と違って、開口部３の大きさが容易に自在に変化する。
【００２４】
これにより、使用者は、開口部３を必要なだけ広げて被服１を着用できるため、左腕にギプス２００を装着した状況でも、腕が麻痺している状況でも、被服１を簡易に着用できる。さらに、被服１は、着用後に開口部３が狭くなるため、被服としての重要な機能である着用時の保温性を確保できる。そして、被服１は、横側から下着が見えないようにもできる。
【００２５】
また、被服１は、ノースリーブタイプのため、より簡易な構造の被服として提供できる。
【００２６】
（本実施形態の変形例等）
前記の実施形態の他の例として、被服１は、脇部分２３で前身頃５と後身頃６とをマジックテープ（株式会社クラレ社の登録商標）、ボタン等で合わせて止めることもできる。
【００２７】
図１１は、マジックテープ（株式会社クラレ社の登録商標）３０を付けた被服１の他の例の左側面図である。図１２は、マジックテープ（株式会社クラレ社の登録商標）３０を外した状態の被服１の他の例の左側面図である。
【００２８】
図１１及び図１２に示すように、被服１は、脇部分２３で前身頃５及び後身頃６それぞれに設けたマジックテープ（株式会社クラレ社の登録商標）３０の着脱によって脇部分２３で前身頃５と後身頃６とを一体にしたり離したりすることができる。これによって、被服１は、被服としての重要な機能である着用時の保温性をさらに確保できるようになる。
【００２９】
また、前記の実施形態の他の例として、縫合以外の方法（例えば、面ファスナー、線ファスナー、点ファスナーなど）によって、後身頃６の下部６ａの下端部６ａ１が裾部２２と一体になっている被服（図示せず）を挙げることができる。
【００３０】
また、前記の実施形態の他の例として、前身頃の表側に後身頃の脇部分が縫合された被服（図示せず）を挙げることもできる。
【００３１】
また、前記の実施形態の他の例として、前身頃が、脇部分を経て後身頃の裏側まで入り込み延在し裾部と一体になっている被服（図示せず）を挙げることもできる。
【００３２】
また、前記の実施形態の他の例として、被服本体（前身頃であると後身頃であるとを問わず）にポケット、ロゴマーク、アップリケ等が取り付けられた被服（図示せず）を挙げることもできる。
【００３３】
さらに、前述した各変形例を適宜組み合わせてもよい。例えば、面ファスナーによって、前身頃が、脇部分を経て後身頃の裏側まで入り込み延在し裾部と一体になるようにしても構わない。
【００３４】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００３５】
１  被服、２  被服本体、５  前身頃、６  後身頃、２１  肩部、２２  裾部、２３  脇部分
【図１】
2020153044.tif 000003
【図２】
2020153044.tif 000004
【図３】
2020153044.tif 000005
【図４】
2020153044.tif 000006
【図５】
2020153044.tif 000007
【図６】
2020153044.tif 000008
【図７】
2020153044.tif 000009
【図８】
2020153044.tif 000010
【図９】
2020153044.tif 000011
【図１０】
2020153044.tif 000012
【図１１】
2020153044.tif 000013
【図１２】
2020153044.tif 000014